(57)【要約】【課題】小型化と吸排水作業の効率化とを両立させることができる吸排水装置を提供する。【解決手段】下流側排水口３１が密閉され、上流側排水口２１が開放されている場合、上流側貯水槽２へ吸入された汚水は下流側貯水槽３に貯留される。一方、上流側排水口２１が密閉され、下流側排水口３１が開放されている場合、上流側貯水槽２へ吸入された汚水は上流側貯水槽２に貯留され、これと同時的に、下流側貯水槽３から下流側排水口３１を通して排水される。この結果、吸排水装置１は、下流側貯水槽３から自然排水することができる。故に、排水用のポンプは不要である。また、下流側貯水槽３からの排水中は上流側貯水槽２に貯水するため、上流側貯水槽２への吸水と下流側貯水槽３から排水とを同時的に行なうことができる。このため、下流側貯水槽３から頻繁に排水しても特段の問題はない。故に、小型の下流側貯水槽３を用いて吸排水装置１を構成することができる。【選択図】図４
2015173823.tif 000002
【特許請求の範囲】
【請求項１】
水を吸入するための吸水口が設けられており、該吸水口の配置位置よりも低位置に、水を排出するための上流側排水口が設けられている上流側貯水槽と、
該上流側貯水槽の内部から空気を吸引する吸気部と
を備え、
前記上流側貯水槽の内部が負圧となることによって前記吸水口を通して外部から吸入された水を、一旦貯留した後で外部へ排出する吸排水装置において、
前記上流側排水口を通して排出された水を貯留し、貯留した水を排出するための下流側排水口が設けられており、前記上流側排水口を通して内部から吸気される下流側貯水槽を備え、
前記吸気部が吸気している場合、
前記下流側排水口を通して排水しないとき、前記下流側排水口を密閉し、前記上流側排水口を非密閉にするようにしてあり、
前記下流側排水口を通して排水するとき、前記上流側排水口を密閉し、前記下流側排水口を非密閉にするようにしてあることを特徴とする吸排水装置。
【請求項２】
前記下流側貯水槽には、外気が通流する第１通気口、及び、前記上流側貯水槽と通気する第２通気口が設けられており、
前記下流側貯水槽の内部が負圧である場合、前記下流側排水口を密閉し、前記下流側貯水槽の内部が負圧でない場合、前記下流側排水口を開閉可能に覆うか、又は開放する密閉部と、
前記下流側貯水槽の水位が前記下流側排水口の配置位置より高位置の上側水位以上になるまでは、前記上流側排水口を開放し、前記下流側貯水槽の水位が前記上側水位以上になった場合に、前記上流側排水口を密閉し、次に、前記密閉部によって前記下流側排水口が非密閉から密閉に切り替えられた後で、前記上流側排水口を再び開放する開閉部と、
前記下流側貯水槽の内部を負圧にする場合に、前記第１通気口を通した前記下流側貯水槽の内外の通気を遮断し、前記開閉部によって前記上流側排水口が密閉された場合に前記第１通気口を通して前記下流側貯水槽の内外を通気させ、次いで、前記下流側貯水槽の水位が前記上側水位より低い下側水位未満であるときに、前記第１通気口を通した前記下流側貯水槽の内外の通気を再び遮断する第１通気弁と、
遅くとも前記第１通気弁が前記下流側貯水槽及び外部を通気させる前までに、前記第２通気口を通した前記上流側貯水槽及び下流側貯水槽の通気を遮断し、次に、前記第１通気弁が前記下流側貯水槽の内外の通気を遮断した後で、前記第２通気口を通して前記上流側貯水槽及び下流側貯水槽を通気させる第２通気弁と
を備えることを特徴とする請求項１に記載の吸排水装置。
【請求項３】
前記上流側排水口は、前記上流側貯水槽の下部且つ前記下流側貯水槽の上部に開設してあり、
前記開閉部は、前記下流側貯水槽の水位が前記上側水位以上である場合に、前記下流側貯水槽に貯留されている水から受ける浮力によって、前記下流側貯水槽の内部側から前記上流側排水口を開閉可能に覆い、該上流側排水口を覆ったときに、前記上流側貯水槽の内部の負圧によって前記上流側排水口を密閉し、該上流側排水口の密閉後、前記上流側貯水槽及び下流側貯水槽夫々の内部の気圧差によって、前記上流側排水口を密閉し続ける蓋状になしてあることを特徴とする請求項２に記載の吸排水装置。
【請求項４】
前記開閉部は、
前記下流側貯水槽に貯留される水よりも密度が小さい開閉蓋本体と、
前記上流側貯水槽の下部に支持されており、前記開閉蓋本体をヒンジ蓋状に揺動可能に支持する軸部と
を有することを特徴とする請求項３に記載の吸排水装置。
【請求項５】
前記下流側排水口は、前記下流側貯水槽の下部に開設してあり、
前記密閉部は、
前記下流側貯水槽の内部が負圧でない場合、前記下流側貯水槽の内部に貯留されている水の重みによって前記下流側排水口を開放し、前記下流側貯水槽の内部に水が貯留されていないときは、前記下流側貯水槽の外部側から前記下流側排水口を開閉可能に覆うよう前記下流側排水口の側へ付勢され、
前記下流側貯水槽の内部の負圧によって前記下流側排水口を密閉し、該下流側排水口の密閉後、前記下流側貯水槽の内外の気圧差によって、前記下流側排水口を密閉し続ける蓋状になしてあることを特徴とする請求項２乃至４の何れか一項に記載の吸排水装置。
【請求項６】
前記密閉部は、
密閉蓋本体と、
該密閉蓋本体を前記下流側排水口の側へ付勢するための錘部と、
前記下流側貯水槽の下部に支持されており、前記密閉蓋本体と前記錘部とをシーソー状に揺動可能に支持する支持軸部と
を有することを特徴とする請求項５に記載の吸排水装置。
【請求項７】
前記下流側貯水槽の水位が前記上側水位以上／前記下側水位未満であることを検出する上側水位検出部／下側水位検出部と、
前記第１通気弁及び第２通気弁夫々の開閉を制御する制御部と
を更に備え、
該制御部は、
前記上側水位検出部が、前記上流側貯水槽の水位が前記上側水位以上であることを検出した場合に、前記第１通気弁を開く第１制御手段と、
該第１制御手段による制御後、前記下側水位検出部が、前記下流側貯水槽の水位が前記下側水位未満であることを検出した場合に、前記第１通気弁を閉じる第２制御手段と、
該第２制御手段による制御後、前記第２通気弁を開く第３制御手段と、
遅くとも前記第１制御手段による制御を行なう前までに、前記第２通気弁を閉じる第４制御手段と
を有することを特徴とする請求項２乃至６の何れか一項に記載の吸排水装置。
【請求項８】
前記第２通気口の内径は30mm以上であり、
前記上流側貯水槽には、内径30mm以上の第３通気口が設けられており、
該第３通気口を通して前記上流側貯水槽に連通している呼び径30A 以上の第１管状部と、
前記第２通気口を通して前記下流側貯水槽に連通している呼び径30A 以上の第２管状部と
を更に備え、
前記第２通気弁は、
前記第１管状部及び第２管状部夫々に連通している弁箱と、
オリフィス径が30mm以上であり、前記弁箱及び前記第２管状部の通気を継断するための弾性弁座と、
該弾性弁座から離隔／該弾性弁座に接触することによって、前記弁箱及び前記第２管状部の通気を継／断する弾性弁体と、
該弾性弁体を前記弾性弁座に対して接離させるアクチュエータと
を有することを特徴とする請求項２乃至７の何れか一項に記載の吸排水装置。
【請求項９】
排出すべき水を外部へ導く排水ホースが接続可能な排水部が下部に設けてあり、前記下
流側排水口を通して排出された水を受ける水受けを更に備えることを特徴とする請求項１乃至８の何れか一項に記載の吸排水装置。
【発明の詳細な説明】
【技術分野】
【０００１】
本発明は、貯水槽の内部が負圧となることによって外部から吸入された水を、一旦貯留した後で外部へ排出する吸排水装置に関する。
【背景技術】
【０００２】
従来、床面の洗浄機能と汚水の回収機能とを有する床面洗浄装置が提案されている（特許文献１参照）。
特許文献１に記載の床面洗浄装置は、床面を洗浄することによって生じた汚水を床面から吸引する。このために床面洗浄装置は、ブロワ（文中「ブロアー」）、汚水回収室、及び吸引ホースを備えている。吸引ホースは汚水回収室の上部に接続されている。ブロワが吸気することによって汚水回収室の内部が負圧になると、汚水回収室に接続されている吸引ホースを通して、汚水が汚水回収室へ吸入される。
【０００３】
更に床面洗浄装置は、一時貯留タンク、排水ポンプ、及び排水パイプを備えている。汚水回収室へ吸入された汚水は、汚水回収室の下部に連通している一時貯留タンクへ落下して貯留される。貯留された汚水は、一時貯留タンクの汚水量が所定のレベルに達した場合に、排水ポンプが汲水することによって一時貯留タンクから汲み出され、排水パイプを通して、外部（具体的には、床面に設けられている排水溝）へ排出される。
【０００４】
従来の床面洗浄装置には、排水ポンプに替えて、一時貯留タンクの内部に配された水中ポンプを備えているものがある。
【先行技術文献】
【特許文献】
【０００５】
【特許文献１】特開２００２−１４３０６４号公報
【発明の概要】
【発明が解決しようとする課題】
【０００６】
一時貯留タンクの内部に水中ポンプが配されている床面洗浄装置の場合、水中ポンプが存在する分、一時貯留タンクの内部の清掃が煩雑になる。また、水中ポンプが存在する分、一時貯留タンクの貯水可能量が少ないため、水中ポンプによる排水を頻繁に行なう必要がある。従って、水中ポンプに起因する騒音が頻繁に発生する。
【０００７】
特許文献１に記載の床面洗浄装置の場合、排水ポンプは一時貯留タンクの外部に配されているため、一時貯留タンクの内部の清掃に関する不都合は生じない。しかしながら、床面洗浄装置の小型化を図るために一時貯留タンクを小型化すると、一時貯留タンクの貯水可能量が減少するため、排水ポンプに起因する騒音が頻繁に発生する。
【０００８】
そこで、床面洗浄装置から排水ポンプ及び水中ポンプ等を省略し、排水パイプの中途に電磁弁を設けることが考えられる。
このような構成の床面洗浄装置は、一時貯留タンクの汚水量が所定のレベルに達した場合に、ブロワを停止させ、更に電磁弁を開いて、排水パイプを通した自然排水を行なう。従って、排水ポンプ又は水中ポンプによる強制排水を行なう床面洗浄装置よりも静音性が高い。
【０００９】
しかしながら、汚水を排出する都度、ブロワを停止させる（即ち吸水を停止させる）必要があるため、汚水の回収作業が滞る。
かといって、ブロワを作動させたまま電磁弁を開けば、排水パイプから外気が逆流してくる虞がある。逆流してきた外気によって一時貯留タンクの内部が外気圧に等しくなれば、一時貯留タンクに連通している汚水回収室の内部も外気圧になるため、吸水が阻害されてしまう。
以上のことから、排水ポンプ又は水中ポンプ等を用いることなく、小型の一時貯留タンクを用いて吸水と排水とを同時的に行なうことができる床面洗浄装置が望まれている。
【００１０】
本発明は斯かる事情に鑑みてなされたものであり、その主たる目的は、小型化と吸排水作業の効率化とを両立させることができる吸排水装置を提供することにある。
【課題を解決するための手段】
【００１１】
本発明に係る吸排水装置は、水を吸入するための吸水口が設けられており、該吸水口の配置位置よりも低位置に、水を排出するための上流側排水口が設けられている上流側貯水槽と、該上流側貯水槽の内部から空気を吸引する吸気部とを備え、前記上流側貯水槽の内部が負圧となることによって前記吸水口を通して外部から吸入された水を、一旦貯留した後で外部へ排出する吸排水装置において、前記上流側排水口を通して排出された水を貯留し、貯留した水を排出するための下流側排水口が設けられており、前記上流側排水口を通して内部から吸気される下流側貯水槽を備え、前記吸気部が吸気している場合、前記下流側排水口を通して排水しないとき、前記下流側排水口を密閉し、前記上流側排水口を非密閉にするようにしてあり、前記下流側排水口を通して排水するとき、前記上流側排水口を密閉し、前記下流側排水口を非密閉にするようにしてあることを特徴とする。
【００１２】
本発明に係る吸排水装置は、前記下流側貯水槽には、外気が通流する第１通気口、及び、前記上流側貯水槽と通気する第２通気口が設けられており、前記下流側貯水槽の内部が負圧である場合、前記下流側排水口を密閉し、前記下流側貯水槽の内部が負圧でない場合、前記下流側排水口を開閉可能に覆うか、又は開放する密閉部と、前記下流側貯水槽の水位が前記下流側排水口の配置位置より高位置の上側水位以上になるまでは、前記上流側排水口を開放し、前記下流側貯水槽の水位が前記上側水位以上になった場合に、前記上流側排水口を密閉し、次に、前記密閉部によって前記下流側排水口が非密閉から密閉に切り替えられた後で、前記上流側排水口を再び開放する開閉部と、前記下流側貯水槽の内部を負圧にする場合に、前記第１通気口を通した前記下流側貯水槽の内外の通気を遮断し、前記開閉部によって前記上流側排水口が密閉された場合に前記第１通気口を通して前記下流側貯水槽の内外を通気させ、次いで、前記下流側貯水槽の水位が前記上側水位より低い下側水位未満であるときに、前記第１通気口を通した前記下流側貯水槽の内外の通気を再び遮断する第１通気弁と、遅くとも前記第１通気弁が前記下流側貯水槽及び外部を通気させる前までに、前記第２通気口を通した前記上流側貯水槽及び下流側貯水槽の通気を遮断し、次に、前記第１通気弁が前記下流側貯水槽の内外の通気を遮断した後で、前記第２通気口を通して前記上流側貯水槽及び下流側貯水槽を通気させる第２通気弁とを備えることを特徴とする。
【００１３】
本発明に係る吸排水装置は、前記上流側排水口は、前記上流側貯水槽の下部且つ前記下流側貯水槽の上部に開設してあり、前記開閉部は、前記下流側貯水槽の水位が前記上側水位以上である場合に、前記下流側貯水槽に貯留されている水から受ける浮力によって、前記下流側貯水槽の内部側から前記上流側排水口を開閉可能に覆い、該上流側排水口を覆ったときに、前記上流側貯水槽の内部の負圧によって前記上流側排水口を密閉し、該上流側排水口の密閉後、前記上流側貯水槽及び下流側貯水槽夫々の内部の気圧差によって、前記上流側排水口を密閉し続ける蓋状になしてあることを特徴とする。
【００１４】
本発明に係る吸排水装置は、前記開閉部は、前記下流側貯水槽に貯留される水よりも密度が小さい開閉蓋本体と、前記上流側貯水槽の下部に支持されており、前記開閉蓋本体を
ヒンジ蓋状に揺動可能に支持する軸部とを有することを特徴とする。
【００１５】
本発明に係る吸排水装置は、前記下流側排水口は、前記下流側貯水槽の下部に開設してあり、前記密閉部は、前記下流側貯水槽の内部が負圧でない場合、前記下流側貯水槽の内部に貯留されている水の重みによって前記下流側排水口を開放し、前記下流側貯水槽の内部に水が貯留されていないときは、前記下流側貯水槽の外部側から前記下流側排水口を開閉可能に覆うよう前記下流側排水口の側へ付勢され、前記下流側貯水槽の内部の負圧によって前記下流側排水口を密閉し、該下流側排水口の密閉後、前記下流側貯水槽の内外の気圧差によって、前記下流側排水口を密閉し続ける蓋状になしてあることを特徴とする。
【００１６】
本発明に係る吸排水装置は、前記密閉部は、密閉蓋本体と、該密閉蓋本体を前記下流側排水口の側へ付勢するための錘部と、前記下流側貯水槽の下部に支持されており、前記密閉蓋本体と前記錘部とをシーソー状に揺動可能に支持する支持軸部とを有することを特徴とする。
【００１７】
本発明に係る吸排水装置は、前記下流側貯水槽の水位が前記上側水位以上／前記下側水位未満であることを検出する上側水位検出部／下側水位検出部と、前記第１通気弁及び第２通気弁夫々の開閉を制御する制御部とを更に備え、該制御部は、前記上側水位検出部が、前記上流側貯水槽の水位が前記上側水位以上であることを検出した場合に、前記第１通気弁を開く第１制御手段と、該第１制御手段による制御後、前記下側水位検出部が、前記下流側貯水槽の水位が前記下側水位未満であることを検出した場合に、前記第１通気弁を閉じる第２制御手段と、該第２制御手段による制御後、前記第２通気弁を開く第３制御手段と、遅くとも前記第１制御手段による制御を行なう前までに、前記第２通気弁を閉じる第４制御手段とを有することを特徴とする。
【００１８】
本発明に係る吸排水装置は、前記第２通気口の内径は30mm以上であり、前記上流側貯水槽には、内径30mm以上の第３通気口が設けられており、該第３通気口を通して前記上流側貯水槽に連通している呼び径30A 以上の第１管状部と、前記第２通気口を通して前記下流側貯水槽に連通している呼び径30A 以上の第２管状部とを更に備え、前記第２通気弁は、前記第１管状部及び第２管状部夫々に連通している弁箱と、オリフィス径が30mm以上であり、前記弁箱及び前記第２管状部の通気を継断するための弾性弁座と、該弾性弁座から離隔／該弾性弁座に接触することによって、前記弁箱及び前記第２管状部の通気を継／断する弾性弁体と、該弾性弁体を前記弾性弁座に対して接離させるアクチュエータとを有することを特徴とする。
【００１９】
本発明に係る吸排水装置は、排出すべき水を外部へ導く排水ホースが接続可能な排水部が下部に設けてあり、前記下流側排水口を通して排出された水を受ける水受けを更に備えることを特徴とする。
【００２０】
本発明にあっては、吸気部が上流側貯水槽の内部から吸気している場合に、下流側排水口を通して排水しないときと、下流側排水口を通して排水するときとがある。
【００２１】
下流側排水口を通して排水しないときには、下流側排水口が密閉され、上流側排水口が非密閉にされる。このため、上流側排水口を通して、下流側貯水槽の内部から吸気される。従って、上流側貯水槽及び下流側貯水槽夫々の内部が両方とも負圧になる。故に、吸水口を通した水の吸入は特段の問題なく行なわれる。吸水口を通して上流側貯水槽へ吸入された水は、上流側貯水槽から上流側排水口を通して下流側貯水槽へ自然に排出され、下流側貯水槽に貯留される。
つまり、下流側排水口を通して排水しないときには、上流側貯水槽への吸水と、上流側貯水槽から下流側貯水槽への自然排水と、下流側貯水槽における貯水とが同時的に行なわ
れる。
【００２２】
一方、下流側排水口を通して排水するときには、上流側排水口が密閉され、下流側排水口が非密閉にされる。上流側排水口が密閉されることによって、上流側貯水槽の内部は負圧に保たれる。故に、吸水口を通した水の吸入は特段の問題なく行なわれる。吸水口を通して上流側貯水槽へ吸入された水は、上流側貯水槽に貯留される。また、下流側排水口が非密閉にされることによって、下流側貯水槽に貯留されていた水が、下流側貯水槽から下流側排水口を通して外部へ自然に排出される。
つまり、下流側排水口を通して排水するときには、上流側貯水槽への吸水と、上流側貯水槽における貯水と、下流側貯水槽からの自然排水とが同時的に行なわれる。
【００２３】
本発明にあっては、下流側貯水槽からの排水の開始／終了が、下流側貯水槽の水位に応じて切り替えられる。
吸気部が上流側貯水槽の内部から吸気している場合、吸水によって下流側貯水槽の水位が上側水位以上になるまでは、下流側排水口は密閉されており、上流側排水口は開放されている。このとき、上流側貯水槽への吸水と、上流側貯水槽から下流側貯水槽への排水と、下流側貯水槽における貯水とが同時的に行なわれている。また、上流側貯水槽及び下流側貯水槽夫々の内部は共に負圧である。
吸水によって下流側貯水槽の水位が上側水位以上になると、上流側排水口が密閉され、下流側排水口が非密閉にされる。
【００２４】
この後、排水によって下流側貯水槽の水位が下側水位未満になるまでは、上流側貯水槽への吸水と、上流側貯水槽における貯水と、下流側貯水槽からの排水とが同時的に行なわれている。また、上流側貯水槽の内部は負圧であり、下流側貯水槽の内部は負圧でない（非負圧である）。
排水によって下流側貯水槽の水位が下側水位未満になると、下流側排水口が密閉され、上流側排水口が開放される。
この後、吸水によって下流側貯水槽の水位が上側水位以上になるまでは、上流側貯水槽への吸水と、上流側貯水槽から下流側貯水槽への排水と、下流側貯水槽における貯水とが同時的に行なわれている。
【００２５】
第１通気弁は、下流側貯水槽の内部を負圧から非負圧に切り替える場合に開く。下流側貯水槽の内部が非負圧であれば、密閉から非密閉に切り替えられた下流側排水口を通して、下流側貯水槽から外部へ特段の問題なく自然排水される。
第２通気弁は、負圧から非負圧に切り替えられた下流側貯水槽の内部を再び負圧に切り替える場合に開く。下流側貯水槽の内部が負圧であれば、密閉から非密閉に切り替えられた上流側排水口を通して、上流側貯水槽から下流側貯水槽へ特段の問題なく自然排水される。
【００２６】
吸気部が上流側貯水槽の内部から吸気していない場合、上流側排水口は開放されており、下流側排水口は非密閉にされている。また、上流側貯水槽及び下流側貯水槽夫々の内部は共に非負圧である。
【００２７】
本発明にあっては、下流側貯水槽に貯留されている上側水位以上の水と、上流側貯水槽の内部の負圧とによって、上流側排水口が自然に密閉される。また、上流側貯水槽及び下流側貯水槽夫々の内部の気圧差によって、上流側排水口の密閉状態が自然に維持される。
故に、下流側貯水槽の水位が上側水位未満であり、上流側貯水槽及び下流側貯水槽の内部の気圧差がなければ、自重又は上流側貯水槽に貯留されている水の重みで、開閉部は自然に上流側排水口を開放する。
以上の結果、吸排水装置は、上流側排水口を強制的に開閉する電磁弁のような部品を必
要としない。
【００２８】
本発明にあっては、開閉部の開閉蓋本体が、軸部を中心にヒンジ蓋状に揺動する。
開閉蓋本体は、下流側貯水槽に貯留された水に浮く。このため、下流側貯水槽に上側水位以上の水が貯留されれば、開閉蓋本体は水から受ける浮力に支えられるかたちで自然に上流側排水口を覆う。このとき、上流側貯水槽の内部の負圧によって、開閉蓋本体は自然に上流側排水口を密閉する。
一方、下流側貯水槽の水位が上側水位未満であり、上流側貯水槽及び下流側貯水槽の内部の気圧差がなければ、開閉蓋本体は、自重又は上流側貯水槽に貯留されている水の重みで、自然に上流側排水口を開放する。
このような開閉部は、簡易な構成である。
【００２９】
本発明にあっては、下流側貯水槽の内部の負圧によって下流側排水口が自然に密閉される。また、下流側貯水槽の内外の気圧差によって、下流側排水口の密閉状態が自然に維持される。
そして、下流側貯水槽の内外の気圧差がなければ、下流側貯水槽に貯留されている水の重みで密閉部が自然に下流側排水口を開放する。
ただし、下流側貯水槽に水が貯留されていなければ、密閉部は下流側排水口を開閉可能に覆う。このため、下流側貯水槽の内部が非負圧から負圧になった場合に密閉部が遅滞なく下流側排水口を密閉する。
以上の結果、吸排水装置は、下流側排水口を強制的に開閉する電磁弁のような部品を必要としない。
【００３０】
本発明にあっては、密閉部の密閉蓋本体と錘部とが、支持軸部を中心にシーソー状に揺動する。
密閉蓋本体は、通常、錘部の重みによって下流側排水口の側へ付勢される。この結果、密閉蓋本体は下流側排水口を開閉可能に覆う。このとき、上流側貯水槽の内部が負圧であると、密閉蓋本体は負圧によって下流側排水口を密閉する。
【００３１】
上流側貯水槽及び下流側貯水槽の内部の気圧差がない場合、下流側貯水槽に貯留されている水の重みによって、下流側排水口を覆っていた密閉蓋本体は、下流側排水口を開放する方向へ揺動する。
この後、下流側貯水槽に貯留されていた水が下流側排水口を通して排出されてしまうと、下流側排水口を開放していた密閉蓋本体は、下流側排水口を覆う方向へ揺動する。
以上のような密閉部は簡易な構成である。
【００３２】
本発明にあっては、上側水位検出部及び下側水位検出部夫々の検出結果に応じて、制御部が第１通気弁及び第２通気弁夫々の開閉を制御する。
上側水位検出部は、リミットスイッチ又はフロートスイッチ等を用いて簡易に構成することが可能である。下側水位検出部は、フロートスイッチ又は水位計等を用いて簡易に構成することが可能である。
【００３３】
制御部は、汎用コンピュータ又は専用コンピュータ等を用いて簡易に構成することができる。この場合、制御部には上側水位検出部及び下側水位検出部夫々の検出結果が入力される。
第１通気弁及び第２通気弁夫々は、例えば、制御部によるオンオフ制御が可能な電磁弁を用いて簡易に構成することができる。
【００３４】
本発明にあっては、第２通気弁の弾性弁体が弾性弁座から離隔することは、第２通気弁が開くことを意味する。第２通気弁が開いている場合、弾性弁座の内部を通して弁箱と第
２管状部とが通気する。このため、上流側貯水槽と下流側貯水槽とは、第３通気口、第１管状部、第２通気弁、第２管状部、及び第２通気口を通して通気する。
第２通気弁の弾性弁体が弾性弁座に接触することは、第２通気弁が閉じることを意味する。第２通気弁が閉じている場合、弾性弁座の内部を通した弁箱と第２管状部との通気が遮断される。このため、上流側貯水槽と下流側貯水槽との通気が遮断される。
【００３５】
上流側貯水槽の内部が負圧であり、下流側貯水槽の内部が非負圧である場合に、第２通気弁が閉じていると、気圧差によって、弾性弁体には開弁方向の外力が働く。しかしながら、弾性弁体と弾性弁座との密着性は高い。このため、弾性弁体と弾性弁座との密着が気圧差によって無用に解除されることが抑制される。
【００３６】
また、上流側貯水槽の内部が負圧であり、下流側貯水槽の内部が非負圧である場合に、アクチュエータが弾性弁体を弾性弁座から離隔させるとき、弾性弁体に働いている開弁方向の外力に助成されて、弾性弁体は速やかに弾性弁座から離隔する。換言すれば、閉じていた第２通気弁が速やかに開く。しかも、第１管状部及び第２管状部夫々は、呼び径30A 以上（更に好ましくは呼び径32A 以上）の大径のものである。また、第２通気口及び第３通気口夫々の内径、並びにオリフィス径は、何れも30mm以上の大径である。このため、第２通気口、第２管状部、第２通気弁、第１管状部、及び第３通気口を通して、下流側貯水槽の内部から上流側貯水槽の内部へ速やかに空気が吸引される。上流側貯水槽の内部へ吸引された空気は、吸気部によって速やかに吸引される。
【００３７】
負圧である上流側貯水槽と非負圧である下流側貯水槽が連通すると、上流側貯水槽の内部の気圧は一時的に上昇する。しかしながら、上流側貯水槽及び下流側貯水槽の内部は、何れも速やかに負圧になる。従って、上流側貯水槽の内部における気圧の上昇が抑えられる。故に、吸水口を通した吸水が阻害されることはない。
【００３８】
本発明にあっては、下流側排水口を通して排出された水が、一旦、水受けに受け止められてから、排水ホースを通して外部へ排出される。このため、下流側排水口の直下に、外部の排水設備（下水道又は排水溝等）が位置している必要がない。従って、吸排水装置の設置位置の自由度が向上する。
【００３９】
ところで、下流側排水口が大きければ大きいほど、下流側貯水槽からの排水は短時間で終了する。下流側貯水槽からの排水中は上流側貯水槽に貯水されるが、下流側貯水槽からの排水が短時間で終了すれば、下流側貯水槽における貯水を短時間で再開することができる。従って、上流側貯水槽の貯水可能量を低減することができる。換言すれば、上流側貯水槽を小型化することができる。
【００４０】
ただし、下流側排水口が大きければ大きいほど、下流側貯水槽からの単位時間当たりの排水量は多い。従って、仮に、水受けが存在しない場合、外部の排水設備が大量の排水を受け止めきれない虞がある。
一方、本発明の係る吸排水装置においては、水受けが下流側貯水槽からの大量の排水を受け止める。そして、水受けが受け止めた水は、排水ホースを通して適量ずつ排出される。このため、外部の排水設備に負担を強いることがない。
【発明の効果】
【００４１】
本発明の吸排水装置による場合、上流側貯水槽への吸水及び上流側貯水槽における貯水と下流側貯水槽からの排水とを同時的に行なうことができる。このため、頻繁に排水しても、吸水作業が滞ることはない。換言すれば、吸排水作業を効率よく行なうことができる。従って、頻回排水を要する小型の貯水槽を用いて、吸排水装置を構成することができる。
以上の結果、吸排水装置の小型化と、吸排水作業の効率化とを両立させることができる。
【００４２】
また、上流側貯水槽から下流側貯水槽へ、及び、下流側貯水槽から外部へ、自然排水することができる。故に、排水ポンプ又は水中ポンプ等を用いて強制排水する必要がない。従って、排水ポンプ又は水中ポンプ等に起因する騒音が発生しない。つまり、静音性を高めることができる。
【図面の簡単な説明】
【００４３】
【図１】本発明の実施の形態１に係る吸排水装置の外観を示す正面図である。
【図２】吸排水装置の外観を示す側面図である。
【図３】吸排水装置が備える第２通気弁の構成を示す背面図である。
【図４】吸排水装置の構成を示す模式図である。
【図５】吸排水装置の制御系の構成を示すブロック図である。
【図６】吸排水装置で実行される吸排水処理の手順を示すフローチャートである。
【図７】吸排水装置で実行される吸排水処理の手順を示すフローチャートである。
【図８】本発明の実施の形態２に係る吸排水装置の構成を示す模式図である。
【図９】吸排水装置の制御系の構成を示すブロック図である。
【図１０】吸排水装置で実行される吸排水処理の手順を示すフローチャートである。
【図１１】吸排水装置で実行される吸排水処理の手順を示すフローチャートである。
【発明を実施するための形態】
【００４４】
以下、本発明を、その実施の形態を示す図面に基づいて詳述する。以下の説明では、図において矢符で示す上下、前後、及び左右を使用する。
【００４５】
実施の形態  １．
図１及び図２は、本発明の実施の形態１に係る吸排水装置１の外観を示す正面図及び側面図である。図１の手前側／奥側は前側／後ろ側であり、図２の手前側／奥側は右側／左側である。
図３は、吸排水装置１が備える第２通気弁１６の構成を示す背面図である。図２の手前側／奥側は後ろ側／前側である。
図４は、吸排水装置１の構成を示す模式図である。
図５は、吸排水装置１の制御系の構成を示すブロック図である。
吸排水装置１は、床面の洗浄機能と汚水の回収機能とを有する床面洗浄装置として構成される。吸排水装置１は、洗浄水を床面へ噴射することによって床面を洗浄する。また、吸排水装置１は、床面上の砂埃又はゴミ等を含んだ洗浄水（即ち、汚水）を回収する。以下では、吸排水装置１における汚水の回収機能に関する構成について説明する。
【００４６】
吸排水装置１は、装置本体１００と、吸水ノズル１７１、吸水ホース１７２、及び排水ホース４１１を備えている。
まず、図１、図２、及び図４を参照しつつ吸水ノズル１７１、吸水ホース１７２、及び排水ホース４１１について説明する。
吸水ノズル１７１は吸水ホース１７２の先端部に接続されている。吸水ノズル１７１は床面に向けて配される。
吸水ホース１７２の基端部は装置本体１００に接続されている。
排水ホース４１１の基端部は装置本体１００に接続されている。排水ホース４１１の先端部は下水溝に向けて配される。
次に、図１〜図５を参照しつつ装置本体１００について説明する。
装置本体１００は、図示しない台車に設置されている。台車の移動に伴い、装置本体１００は床面を容易に移動する。
装置本体１００は、上流側貯水槽２、下流側貯水槽３、水受け４、及び吸気部１４を備えている。
【００４７】
水受け４は、台車に固定されている。水受け４は槽状になしてある。
水受け４の底壁外面（水受け４の下部）には管状の排水部４１が突設してある。排水部４１には、排水ホース４１１の基端部が接続されている。水受け４の内部は、排水部４１の内部を通して、排水ホース４１１の内部に連通している。水受け４の天壁には開口が設けられている。水受け４に貯留可能な最大水量は、下流側貯水槽３に貯留可能な最大水量よりも多い。
【００４８】
水受け４の上方には、下流側貯水槽３が配されている。
下流側貯水槽３の底壁（下流側貯水槽３の下部）には、下流側排水口３１が開設されている。下流側排水口３１は、水受け４の底壁内面に対面している。下流側排水口３１を通して排出された汚水は、水受け４の上部開口を通して水受け４に受け止められる。下流側排水口３１は広ければ広いほどよい。
下流側貯水槽３の底壁外面には、密閉底蓋（密閉部）５１が配されている。密閉底蓋５１は下流側排水口３１を密閉／非密閉にする。下流側排水口３１が密閉されている場合、下流側貯水槽３は、最大で所定の上側水位まで貯水可能である。上側水位は、後述する第１通気口３３及び第２通気口３４夫々の開口位置よりも下側に設定されている。下流側排水口３１が開放されている場合、下流側排水口３１を通して汚水が排出されるため、下流側貯水槽３は貯水不可能である。また、開放されている下流側排水口３１を通して、下流側貯水槽３の内外が通気する。
【００４９】
密閉底蓋５１は、密閉蓋本体５１１、支持軸部５１２、及び錘部５１３を有する。
密閉蓋本体５１１は、下流側排水口３１を密閉可能な板状をなす。密閉蓋本体５１１及び／又は下流側排水口３１の開口周縁部には、パッキンが配されている。
錘部５１３は、密閉蓋本体５１１の重さ以上の重さを有する錘本体と、錘本体を支持する錘支持板とを有する。
【００５０】
支持軸部５１２は、下流側貯水槽３の底壁外面における下流側排水口３１の開口周縁部に支持されている。支持軸部５１２は、密閉蓋本体５１１と錘部５１３とをシーソー状に揺動可能に支持する。
このために、支持軸部５１２は、例えば、下流側貯水槽３の底壁外面に支持されている円柱部と、この円柱部を中心に回転可能に設けられている回転部とを有する。この回転部の一部分には、密閉蓋本体５１１が突設してある。回転部の他部分には、錘部５１３の錘支持板が突設してある。密閉蓋本体５１１の突設位置と錘部５１３の突設位置とは円柱部の周方向に適長離隔している。密閉蓋本体５１１の突設方向と錘部５１３の突設方向とがなす角度は90°より大きく180 °より小さい。錘部５１３の錘本体は、錘支持板の回転部から最も離隔した位置に配されている。
【００５１】
密閉蓋本体５１１には、密閉蓋本体５１１が下流側排水口３１に接近する方向へ密閉蓋本体５１１を揺動させる付勢力（以下、接近付勢力）と、密閉蓋本体５１１が下流側排水口３１から離隔する方向へ密閉蓋本体５１１を揺動させる付勢力（以下、離隔付勢力）というが作用する。密閉蓋本体５１１の自重は、離隔付勢力として働く。錘部５１３の重みは、接近付勢力として働く。下流側貯水槽３に汚水が貯留されると、密閉蓋本体５１１に加わる汚水の重みは離隔付勢力として働く。下流側貯水槽３の内部が負圧である場合、負圧は接近付勢力として働く。
【００５２】
下流側貯水槽３に汚水が貯留されていない（即ち、下流側貯水槽３が空である）場合、密閉蓋本体５１１は下流側排水口３１に接近して、下流側排水口３１を開閉可能に覆う。
何故ならば、錘部５１３による接近付勢力は、密閉蓋本体５１１の自重による離隔付勢力を上回るからである。密閉蓋本体５１１が下流側排水口３１を覆っているときに、下流側貯水槽３の内部が負圧であれば、負圧によって密閉蓋本体５１１が下流側排水口３１の開口周縁部に吸着する。このため、密閉蓋本体５１１は下流側排水口３１を密閉する。
【００５３】
下流側貯水槽３の外部は非負圧（具体的には外気圧）である。このため、下流側貯水槽３の内部が負圧であれば、下流側貯水槽３の内外の気圧差は大きい。この気圧差が接近付勢力として働くため、下流側貯水槽３の水位が上昇することによって離隔付勢力が増大しても、接近付勢力は離隔付勢力を上回る。故に、密閉蓋本体５１１は下流側排水口３１を密閉し続ける。
一方、下流側貯水槽３の内部が非負圧である場合、下流側貯水槽３の内外に気圧差がない。従って、下流側貯水槽３の水位が上昇することによって離隔付勢力が増大すれば、離隔付勢力が接近付勢力を上回る。故に、密閉蓋本体５１１は下流側排水口３１を開放する。
【００５４】
なお、密閉底蓋５１は、錘部５１３によって密閉蓋本体５１１に接近付勢力を与える構成に限定されず、例えばバネを用いて密閉蓋本体５１１に接近付勢力を与える構成でもよい。
【００５５】
下流側貯水槽３の右側壁外面における天壁近傍には、管状の通気部３３０と接続通気管３４０とが突設してある。なお、通気部３３０夫々接続通気管３４０夫々の突設位置は、下流側貯水槽３の上部であれば、右側壁外面における天壁近傍に限定されるものではない。
【００５６】
通気部３３０の内部は、第１通気口３３として機能する。下流側貯水槽３の内外は、第１通気口３３を通して通気する。
第１通気口３３は、第１通気弁１５によって開閉される。つまり、第１通気弁１５は、下流側貯水槽３の内外の通気を継断する。
第１通気弁１５は、通気部３３０の先端部開口の周縁部に密着することによって第１通気口３３を密閉する弁体と、この弁体を通気部３３０の先端部開口の周縁部に対して接離させるアクチュエータ等とを有する。なお、第１通気弁１５は、例えばソレノイドアクチュエータを有する市販の電磁弁を用いてなる構成でもよい。
【００５７】
接続通気管３４０は、呼び径30A 以上（好ましくは呼び径32A 以上）である。接続通気管３４０には、後述する第２管状部３２が接続してある。この結果、接続通気管３４０の内部は、上流側貯水槽２と通気する第２通気口３４として機能する。第２通気口３４の内径は30mm以上（具体的には38mm）である。
【００５８】
下流側貯水槽３の内部には、フロートスイッチ（下側水位検出部）１３が配されている。フロートスイッチ１３は、下流側貯水槽３に所定の下側水位以上貯水されている場合にオンになる。また、フロートスイッチ１３は、下流側貯水槽３に下側水位未満貯水されているか、又は下流側貯水槽３が空である場合にオフになる。下側水位は、上側水位よりも低い。
下流側貯水槽３に貯留可能な最大水量は、上流側貯水槽２に貯留可能な最大水量よりも多い。
【００５９】
下流側貯水槽３の後ろ側には、吸気部１４が配されている。吸気部１４には吸気ホース１４１の一端部が接続されている。吸気部１４は、ブロワモータ１４０を有するブロワを用いてなる。ブロワモータ１４０が作動すると、ブロワの送風機能により、吸気部１４は吸気ホース１４１を通して吸気する。
【００６０】
下流側貯水槽３の上部には、上流側貯水槽２が一体的に設けられている。上流側貯水槽２の底壁は、下流側貯水槽３の天壁の一部として機能する。
上流側貯水槽２の底壁（上流側貯水槽２の下部且つ下流側貯水槽３の上部）には、上流側排水口２１が開設されている。上流側排水口２１は、下流側貯水槽３の底壁内面に対面している。上流側排水口２１を通して排出された汚水は、下流側貯水槽３に受け止められる。
【００６１】
上流側貯水槽２の底壁外面には、開閉底蓋（開閉部）５２が配されている。開閉底蓋５２は上流側排水口２１を密閉／非密閉にする。上流側排水口２１が密閉されている場合、上流側貯水槽２は、所定の最大水位まで貯水可能である。最大水位は、各後述する吸水口２０、吸気口２３、及び第３通気口２４夫々の開口位置よりも下側に設定されている。
上流側排水口２１が開放されている場合、上流側排水口２１を通して汚水が排出されるため、上流側貯水槽２は貯水不可能である。また、開放されている上流側排水口２１を通して、上流側貯水槽２の内部と下流側貯水槽３の内部とが通気する。
【００６２】
開閉底蓋５２は、開閉蓋本体５２１及び軸部５２２を有する。
開閉蓋本体５２１は、上流側排水口２１を密閉可能な板状をなす。開閉蓋本体５２１及び／又は上流側排水口２１の開口周縁部には、パッキンが配されている。開閉蓋本体５２１の密度は、汚水の密度より小さい。開閉蓋本体５２１が上流側排水口２１を覆っている場合、開閉蓋本体５２１の下面の配置位置は、上側水位に等しい。
軸部５２２は、上流側貯水槽２の底壁外面における上流側排水口２１の開口周縁部に支持されている。軸部５２２は、開閉蓋本体５２１をヒンジ蓋状に揺動可能に支持する。
上流側貯水槽２の内部と下流側貯水槽３の内部とに気圧差がない場合、下流側貯水槽３の水位が上側水位未満であれば、開閉蓋本体５２１は上流側排水口２１を開放する。何故ならば、開閉蓋本体５２１は自重によって上流側排水口２１から離隔する方向へ揺動するからである。
【００６３】
開閉蓋本体５２１は、下流側貯水槽３に貯留されている汚水に浮かぶ。従って、下流側貯水槽３の水位の上昇に伴い、開閉蓋本体５２１は上流側排水口２１に接近する方向へ徐々に揺動する。そして、下流側貯水槽３に上側水位以上の汚水が貯留されている場合、開閉蓋本体５２１は汚水から受ける浮力に支えられるかたちで上流側排水口２１を覆う。開閉蓋本体５２１が上流側排水口２１を覆っているときに、上流側貯水槽２の内部が負圧であれば、負圧によって開閉蓋本体５２１が上流側排水口２１の開口周縁部に吸着する。このため、開閉蓋本体５２１は上流側排水口２１を密閉する。
【００６４】
上流側貯水槽２の内部が負圧であり、且つ、下流側貯水槽３の内部が非負圧である場合、上流側貯水槽２及び下流側貯水槽３夫々の内部の気圧差が大きい。この気圧差によって、開閉蓋本体５２１に対して上流側排水口２１を密閉する方向の外力が働く。この場合、上流側貯水槽２に貯留された水によって、開閉蓋本体５２１に対して上流側排水口２１を開放する方向の外力が働いたとしても、開閉蓋本体５２１は上流側排水口２１を密閉し続ける。
【００６５】
本実施の形態における開閉底蓋５２は、軸部５２２を介して開閉蓋本体５２１が上流側貯水槽２に一体的に配された構成であるが、これに限定されるものではない。例えば、開閉底蓋５２は、汚水より密度が小さい蓋本体と、水位上昇時に蓋本体を上流側排水口２１へ案内するガイドとを有する構成でもよい。この場合、下流側貯水槽３の水位が上側水位以上に上昇すると、ガイドに案内された蓋本体が上流側排水口２１を覆う。一方、水位が低いときには蓋本体は上流側貯水槽２から離隔して配される。
開閉底蓋５２は、下流側貯水槽３の内部にて上流側排水口２１を開閉する。このため、
上流側排水口２１を開放している状態の開閉蓋本体５２１が、吸排水装置１の周囲へ突出することはない。
【００６６】
開閉底蓋５２の開閉蓋本体５２１には、リミットスイッチ（上側水位検出部）１２が配されている。開閉蓋本体５２１が上流側排水口２１を覆った場合、リミットスイッチ１２は上流側貯水槽２の底壁外面に接触する。開閉蓋本体５２１が上流側排水口２１を開放した場合、リミットスイッチ１２は上流側貯水槽２の底壁外面から離隔する。リミットスイッチ１２が上流側貯水槽２に対して接／離すると、リミットスイッチ１２はオン／オフになる。
開閉蓋本体５２１が上流側排水口２１を覆っている場合とは、下流側貯水槽３に上側水位以上貯水されている場合である。この場合、リミットスイッチ１２はオンである。
一方、開閉蓋本体５２１が上流側排水口２１を開放している場合とは、下流側貯水槽３が空である場合か、又は、下流側貯水槽３に上側水位未満貯水されている場合である。この場合、リミットスイッチ１２はオフである。
【００６７】
上流側貯水槽２の左側壁外面における天壁近傍には、吸水管２００が突設してある。吸水管２００には、吸水ホース１７２の基端部が接続されている。吸水管２００の内部は、吸水口２０として機能する。なお、吸水管２００の突設位置は、上流側貯水槽２の上部であれば、左側壁外面における天壁近傍に限定されるものではない。
【００６８】
上流側貯水槽２の右側壁外面における天壁近傍には、吸気管２３０と接続通気管２４０とが突設してある。なお、吸気管２３０及び接続通気管２４０夫々の突設位置は、上流側貯水槽２の上部であれば、右側壁外面における天壁近傍に限定されるものではない。
吸気管２３０には、吸気ホース１４１の他端部が接続されている。吸気管２３０の内部は、吸気口２３として機能する。上流側貯水槽２の内部の空気は、吸気口２３及び吸気ホース１４１を通して、吸気部１４に吸引される。
接続通気管２４０は、呼び径30A 以上（好ましくは呼び径32A 以上）である。接続通気管２４０には、後述する第１管状部２２が接続してある。接続通気管２４０の内部は、下流側貯水槽３と通気する第３通気口２４として機能する。第３通気口２４の内径は30mm以上（具体的には38mm）である。
【００６９】
第１管状部２２と第２管状部３２とは、第２通気弁１６を介して接続されている。
第１管状部２２は、通気ホース２２１及び通気管２２２を有する。通気ホース２２１及び通気管２２２は、何れも呼び径32A 以上（具体的には、内径38mm）である。
通気ホース２２１の一端部は接続通気管２４０に接続されている。通気ホース２２１の他端部は通気管２２２の一端部に接続されている。通気管２２２の他端部は、第２通気弁１６の後述する弁箱６１に接続されている。
上流側貯水槽２と第２通気弁１６とは、第３通気口２４と、第１管状部２２の通気ホース２２１及び通気管２２２とを通して、連通している。
【００７０】
第２管状部３２は、通気ホース３２１、通気管３２２、及び管継手３２３を有する。通気ホース３２１及び通気管３２２は、何れも呼び径32A 以上（具体的には、内径38mm）である。管継手３２３は、呼び径32A 以上のストリートエルボを用いてなる。
通気ホース３２１の一端部は接続通気管３４０に接続されている。通気ホース３２１の他端部は通気管３２２の一端部に接続されている。通気管３２２の他端部は、管継手３２３の一端部に接続されている。管継手３２３の他端部は、第２通気弁１６の弁箱６１に接続されている。
下流側貯水槽３と第２通気弁１６とは、第２通気口３４と、第２管状部３２の通気ホース３２１、通気管３２２、及び管継手３２３を通して、連通している。
【００７１】
第２通気弁１６は、弁箱６１、弾性弁座６２、弾性弁体６３、アクチュエータ６４、及び弁棒６５を有する。
アクチュエータ６４はソレノイドアクチュエータを用いてなる。アクチュエータ６４は、柱状の弁棒６５を上下方向に往復直動させる。弁棒６５の先端部には円盤状の弾性弁体６３が取り付けられている。
弾性弁座６２及び弾性弁体６３は、何れも弁箱６１の内部に配されている。ただし、弾性弁座６２は、弾性弁体６３に対面して弾性弁体６３の上側に配されている。弾性弁座６２は円環状になしてある。弾性弁座６２のオリフィス径は38mmである。弁棒６５の往復直動に伴い、弾性弁体６３は、弾性弁座６２に対して上下方向に接離する。
弾性弁体６３が弾性弁座６２に接触している場合、弾性弁座６２の中央部開口は弾性弁体６３によって閉鎖されている。このとき、第２通気弁１６は閉じている。一方、弾性弁体６３が弾性弁座６２から離隔している場合、弾性弁座６２の中央部開口は開放されている。このとき、第２通気弁１６は開いている。
【００７２】
弾性弁体６３が弾性弁座６２に接触している場合、弾性弁体６３にはアクチュエータ６４から下向きの外力が加えられる。つまり、弾性弁体６３は、弾性弁座６２に上側から押し付けられる。このため、弾性によって、弾性弁体６３と弾性弁座６２との密着性が高まる。故に、第２通気弁１６が閉じている場合に、弾性弁体６３に対して第２通気弁１６を開かせる方向の外力（即ち、上向きの外力）が働いても、弾性弁体６３が弾性弁座６２から無用に離隔することが抑制される。
【００７３】
第２通気弁１６が開いている場合、弾性弁座６２を通して弁箱６１と第２管状部３２とが通気する。このとき、上流側貯水槽２と下流側貯水槽３とは、第１管状部２２、第２通気弁１６、及び第２管状部３２を通して通気する。
第２通気弁１６が閉じている場合、弾性弁座６２を通した弁箱６１と第２管状部３２との通気が遮断される。このとき、上流側貯水槽２と下流側貯水槽３との通気が切断される。
【００７４】
なお、第２通気弁１６は、例えばソレノイドアクチュエータを有する市販の電磁弁を用いて構成することも不可能ではない。ただし、この電磁弁のオリフィス径は、第１管状部２２及び第２管状部３２夫々の内径に等しいことが望ましい。本実施の形態では、第１管状部２２及び第２管状部３２夫々の内径は38mmである。このため、第２通気弁１６を構成すべき市販の電磁弁は、呼び径40A 以上の大型のものである必要がある。故に、第２通気弁１６を市販の電磁弁で置き換えることは実用的ではない。
【００７５】
吸排水装置１は、制御部１０及び操作部１１を適宜の箇所に備えている。
制御部１０は、ＣＰＵ（Central Processing Unit ）、ＲＯＭ（Read Only Memory）、ＲＡＭ（Random Access Memory）、及び入出力インターフェース等（何れも図示せず）を有する。制御部１０のＣＰＵは、ＲＡＭを作業領域として用い、ＲＯＭに記憶されているコンピュータプログラム及びデータに従って、装置各部の動作を制御し、各種処理を実行する。制御部１０の入出力インターフェースは、操作部１１、リミットスイッチ１２、フロートスイッチ１３、吸気部１４のブロワモータ１４０、第１通気弁１５のアクチュエータ、及び第２通気弁１６のアクチュエータ６４夫々に電気的に接続してある。
【００７６】
オン状態のリミットスイッチ１２及びフロートスイッチ１３夫々は、オン信号を出力する。オン信号は、制御部１０に入力される。換言すれば、リミットスイッチ１２（又はフロートスイッチ１３）からのオン信号が制御部１０に入力されている場合、リミットスイッチ１２（又はフロートスイッチ１３）はオンになっている。リミットスイッチ１２（又はフロートスイッチ１３）からのオン信号が制御部１０に入力されていない場合、リミットスイッチ１２（又はフロートスイッチ１３）はオフになっている。
操作部１１は、例えば、使用者によって押圧操作される操作ボタンを用いてなる。操作部１１が操作される都度、操作部１１から出力された操作信号が、制御部１０に入力される。
【００７７】
吸気部１４に吸気を開始させる場合、制御部１０は、ブロワモータ１４０をオンにする。吸気部１４に吸気を終了させる場合、制御部１０は、ブロワモータ１４０をオフにする。
第１通気弁１５を開／閉する場合、制御部１０は、第１通気弁１５のアクチュエータをオン／オフにする。
第２通気弁１６を開／閉する場合、制御部１０は、第２通気弁１６のアクチュエータ６４をオン／オフにする。
なお、吸排水装置１は、床面の洗浄機能を有していない構成でもよい。また、吸排水装置１は、装置本体１００が台車に設置されていない構成でもよい。更に、吸排水装置１は、汚水を濾過する濾過部を備えていてもよい。
【００７８】
図６及び図７は、吸排水装置１で実行される吸排水処理の手順を示すフローチャートである。
使用者は、吸排水装置１の使用を開始する場合に、操作部１１を操作する。後述するＳ１４の処理が実行されることによって吸気部１４が作動した場合、使用者は吸排水装置１を用いて汚水の回収を行なう。
【００７９】
図６に示すように、制御部１０は、自身に操作信号が入力されたか否かを判定することによって、操作部１１が操作されたか否かを判定する（Ｓ１１）。操作部１１が操作されていない場合（Ｓ１１でＮＯ）、制御部１０は、Ｓ１１の処理を再度実行する。
操作部１１が操作された場合（Ｓ１１でＹＥＳ）、制御部１０は、第１通気弁１５を閉じ（Ｓ１２）、第２通気弁１６を閉じる（Ｓ１３）。Ｓ１３の処理を実行する制御部１０は、本発明の実施の形態における第４制御手段として機能する。
Ｓ１２の処理の結果、第１通気口２３を通した下流側貯水槽３の内外の通気が遮断される。Ｓ１３の処理の結果、第１管状部２２及び第２管状部３２を通した上流側貯水槽２と下流側貯水槽３との通気が遮断される。
【００８０】
次に、制御部１０は、吸気部１４による吸気を開始させる（Ｓ１４）。
Ｓ１４の処理の結果、上流側貯水槽２の内部から吸気部１４へ空気が吸引される。また、下流側貯水槽３の内部から、上流側排水口２１及び上流側貯水槽２を通して、吸気部１４へ空気が吸引される。この結果、上流側貯水槽２及び下流側貯水槽３夫々の内部が負圧になる。下流側貯水槽３の負圧によって、密閉底蓋５１は下流側排水口３１を密閉する。
上流側貯水槽２の内部が負圧になると、吸水ノズル１７１、吸水ホース１７２、及び吸水口２０を通して、汚水が上流側貯水槽２の内部へ吸入される。上流側貯水槽２の内部へ吸入された汚水は、上流側排水口２１を通して、下流側貯水槽３へ排出され、下流側貯水槽３に貯留される。下流側貯水槽３の外部は非負圧であるため、下流側貯水槽３の内外の気圧差により、密閉底蓋５１は下流側排水口３１を密閉し続ける。
【００８１】
下流側貯水槽３の水位が下側水位以上に上昇することによって、フロートスイッチ１３はオフからオンに切り替わる。更に上昇した水位が上側水位以上になると、開閉底蓋５２が上流側排水口２１を覆う。このとき、上流側貯水槽２の負圧によって、開閉底蓋５２は上流側排水口２１を密閉する。この結果、上流側貯水槽２の内部へ吸入された汚水は、下流側貯水槽３へ排出されず、上流側貯水槽２に貯留される。また、開閉底蓋５２が上流側排水口２１を覆うと、リミットスイッチ１２がオフからオンに切り替わる。
【００８２】
次いで、制御部１０は、リミットスイッチ１２がオフからオンに切り替わった（図中「
オフ→オン」）か否かを判定する（Ｓ１５）。Ｓ１５における判定は、リミットスイッチ１２が、下流側貯水槽３の水位が上側水位以上であることを検出したか否かの判定である。
リミットスイッチ１２がオフのままである場合（Ｓ１５でＮＯ）、制御部１０は、Ｓ１５の処理を再度実行する。
【００８３】
リミットスイッチ１２がオフからオンに切り替わった場合（Ｓ１５でＹＥＳ）、制御部１０は、第１通気弁１５を開く（Ｓ１６）。Ｓ１６の処理を行なう制御部１０は、本発明の実施の形態における第１制御手段として機能する。
Ｓ１６の処理の結果、吸気口２３を通して下流側貯水槽３の内外が通気する。故に、下流側貯水槽３の内部に外気が流入し、下流側貯水槽３の内部は非負圧になる。
下流側貯水槽３の内外の気圧差がなくなったため、下流側貯水槽３に貯留されている汚水の重みによって、密閉底蓋５１は下流側排水口３１を開放する。このとき、下流側排水口３１を通して汚水が排出される。下流側排水口３１は広いため、下流側排水口３１を通して短時間に大量の汚水が排出される。故に、下流側貯水槽３は短時間で空になる。換言すれば、下流側貯水槽３の水位は、短時間で下側水位未満になる。下流側貯水槽３が空になれば、密閉底蓋５１は再び下流側排水口３１を覆う。
【００８４】
排出された大量の汚水は水受け４に受け止められ、一時的に貯留される。水受け４に貯留された汚水は、排水部４１及び排水ホース４１１を通して、徐々に下水溝へ排出される。つまり、下水溝へ直接的に大量の汚水が排出されることはない。
密閉底蓋５１が下流側排水口３１を開放すると、リミットスイッチ１２がオンからオフに切り替わる。下流側貯水槽３の水位が下側水位未満になると、フロートスイッチ１３がオンからオフに切り替わる。
【００８５】
制御部１０は、フロートスイッチ１３がオンからオフに切り替わった（図中「オン→オン」）か否かを判定する（Ｓ１７）。Ｓ１７における判定は、フロートスイッチ１３が、下流側貯水槽３の水位が下側水位未満であることを検出したか否かの判定である。
フロートスイッチ１３がオンのままである場合（Ｓ１７でＮＯ）、制御部１０は、Ｓ１７の処理を再度実行する。
【００８６】
フロートスイッチ１３がオンからオフに切り替わった場合（Ｓ１７でＹＥＳ）、制御部１０は、第１通気弁１５を閉じ（Ｓ１８）、第２通気弁１６を開く（Ｓ１９）。Ｓ１８の処理を実行する制御部１０は、本発明の実施の形態における第２制御手段として機能する。Ｓ１９の処理を実行する制御部１０は、本発明の実施の形態における第３制御手段として機能する。
【００８７】
Ｓ１８及びＳ１９の処理をこの順に実行した結果、吸気口２３を通した下流側貯水槽３の内外の通気が遮断された後で、第１管状部２２及び第２管状部３２を通して上流側貯水槽２と下流側貯水槽３とが通気する。このとき、下流側貯水槽３の内部が速やかに負圧になる。また、上流側貯水槽２の内部の気圧上昇が抑えられ、上流側貯水槽２の内部の負圧が保たれる。
下流側貯水槽３の内部が負圧になれば、密閉底蓋５１は再び下流側排水口３１を密閉する。上流側貯水槽２の内部と下流側貯水槽３の内部とが共に負圧になり、気圧差がなくなると、上流側貯水槽２に貯留されている汚水の重みによって、開閉底蓋５２は上流側排水口２１を開放する。このとき、上流側排水口２１を通して汚水が排出される。
【００８８】
Ｓ１９の処理を実行した制御部１０は、図７に示すように、第２通気弁１６を開いてからの経過時間の計時を開始する（Ｓ３１）。Ｓ３１の処理を行なう場合、制御部１０は、経過時間の計時結果を“０”にリセットしてから計時を開始する。また、制御部１０は、
図示しないタイマを用いて経過時間を計時してもよく、クロックを計数することによって経過時間を計時してもよい。
次に、制御部１０は、第２通気弁１６を開いてから所定時間（例えば２秒又は３秒）が経過したか否かを判定する（Ｓ３２）。この所定時間は、第２通気弁１６を通した通気によって下流側貯水槽３の内部が非負圧から負圧になるまでの時間よりも長いが、下流側貯水槽３の内部に上側水位以上貯水されるまでの時間よりも短い。
【００８９】
まだ所定時間が経過していない場合（Ｓ３２でＮＯ）、制御部１０は、Ｓ３２の処理を再び実行する。
所定時間が経過した場合（Ｓ３２でＹＥＳ）、制御部１０は、経過時間の計時を終了する処理（不図示）を実行する。また、制御部１０は、第２通気弁１６を閉じる（Ｓ３３）。Ｓ３３の処理を実行する制御部１０は、本発明の実施の形態における第４制御手段として機能する。
なお、制御部１０は、フロートスイッチ１３がオフからオンに切り替わった場合に、第２通気弁１６を閉じる構成でもよい。
【００９０】
使用者は、吸排水装置１の使用を終了する場合に、操作部１１を再び操作する。
制御部１０は、操作部１１が再び操作されたか否かを判定する（Ｓ３４）。操作部１１が操作されていない場合（Ｓ３４でＮＯ）、制御部１０は、処理をＳ１５へ移す。
操作部１１が再び操作された場合（Ｓ３４でＹＥＳ）、制御部１０は、吸気部１４による吸気を終了させ（Ｓ３５）、第１通気弁１５及び第２通気弁１６を開く（Ｓ３６）。この結果、上流側貯水槽２への吸水が終了し、上流側貯水槽２及び下流側貯水槽３夫々の内部が非負圧になる。開閉底蓋５２は上流側排水口２１を開放し、密閉底蓋５１は、下流側排水口３１を開閉可能に覆う。
Ｓ３６の処理終了後、操作部１１は、処理をＳ１１へ戻す。
なお、Ｓ１１の処理終了後、Ｓ３４の処理を実行するまでの間に操作部１１が再び操作された場合には、制御部１０は、実行中の処理を中断して、処理をＳ３５へ移せばよい。
【００９１】
以上のような吸排水装置１には、従来の床面洗浄装置が備えているような排水ポンプ又は水中ポンプ等が用いられていない。このため、排水ポンプ又は水中ポンプ等に起因する騒音が発生しない。即ち、吸排水装置１は静音性が高い。また、排水ポンプ又は水中ポンプ等が存在しない分、上流側貯水槽２、下流側貯水槽３、及び水受け４の内部の清掃は容易である。
【００９２】
吸排水装置１では、上流側貯水槽２への吸水、上流側貯水槽２から下流側貯水槽３への排水、及び下流側貯水槽３における貯水が同時的に行なわれる場合と、上流側貯水槽２への吸水、上流側貯水槽２における貯水、及び下流側貯水槽３からの排水が同時的に行なわれる場合とが、下流側貯水槽３の水位に応じて切り替えられる。つまり、吸排水装置１における吸水及び貯水は、下流側貯水槽３からの排水を行なっているか否かに関わらず、連続的に行なわれている。従って、下流側貯水槽３からの排水中に吸水作業（即ち汚水の回収作業）が滞ることがない。
【００９３】
下流側貯水槽３が小型である場合、下流側貯水槽３の貯水可能量は小さい。従って、下流側貯水槽３から頻繁に排水を行なう必要がある。しかしながら、吸排水装置１において頻繁に排水が行なわれても、吸排水装置１における吸水及び貯水が阻害される虞はない。
上流側貯水槽２が小型である場合、上流側貯水槽２の貯水可能量は小さい。従って、下流側貯水槽３から排水している時間（即ち、上流側貯水槽２が貯水している時間）を短くする必要がある。このために、広い下流側排水口３１が設けられている。下流側排水口３１を通した排水は、一時的に水受け４に貯留される。水受け４からの排水は、水受け４が空になるまで連続的に行なわれる。しかしながら、水受け４からの排水が、吸排水装置１
における吸水及び貯水を阻害する虞はない。
以上のことから、小型の上流側貯水槽２及び下流側貯水槽３を用いて、吸排水装置１を小型化することができる。
【００９４】
第１通気弁１５及び第２通気弁１６に係る消費電力は、一般に、排水ポンプ又は水中ポンプ等の消費電力よりも小さい。故に、吸排水装置１は省電力に寄与する。
【００９５】
ここで、本実施の形態の吸排水装置１と特許文献１に記載の床面洗浄装置との差異について述べる。
両者を比較した場合、本実施の形態の上流側貯水槽２が特許文献１に記載の汚水回収室に相当し、本実施の形態の下流側貯水槽３が特許文献１に記載の一時貯留タンクに相当するように思えるかもしれない。しかしながら、特許文献１に記載の汚水回収室が、吸入された汚水を貯留することはない。一方、本実施の形態の上流側貯水槽２は、少なくとも上流側排水口２１が密閉されている間は、吸入された汚水を貯留する。また、特許文献１に記載の一時貯留タンクは、ブロワによる吸気中は、排水中であっても負圧に保たれるが、本実施の形態の下流側貯水槽３は、吸気部１４による吸気中であっても、排水中は非負圧である。
つまり、本実施の形態の吸排水装置１は、特許文献１に記載の床面洗浄装置から単純に排水ポンプを省略しただけのものではない。
【００９６】
実施の形態  ２．
図８は、本発明の実施の形態２に係る吸排水装置１の構成を示す模式図である。図９は、吸排水装置１の制御系の構成を示すブロック図である。図８及び図９は、実施の形態１の図４及び図５に対応する。
本実施の形態の吸排水装置１は、実施の形態１の吸排水装置１と略同様の構成である。以下では、実施の形態１との差異について説明し、その他、実施の形態１に対応する部分には同一符号を付してそれらの説明を省略する。
【００９７】
実施の形態１の吸排水装置１においては、上流側貯水槽２、下流側貯水槽３、及び水受け４が、縦方向に配されており、上流側貯水槽２及び下流側貯水槽３は一体的に設けられている。一方、本実施の形態１の吸排水装置１においては、別体の上流側貯水槽２及び下流側貯水槽３が横方向に配されており、水受け４は備えられていない。
上流側貯水槽２及び下流側貯水槽３には、実施の形態１の上流側排水口２１及び下流側排水口３１は設けられていない。このため、密閉底蓋５１及び開閉底蓋５２も備えられていない。
更に、リミットスイッチ１２は備えられておらず、上側フロートスイッチ（上側水位検出部）１８が備えられている。
【００９８】
まず、上流側貯水槽２について述べる。
実施の形態１においては、上流側貯水槽２に貯留可能な最大水量は、下流側貯水槽３に貯留可能な最大水量よりも少ない。一方、本実施の形態においては、上流側貯水槽２に貯留可能な最大水量は、下流側貯水槽３に貯留可能な最大水量よりも多い。
上流側貯水槽２の下部には、管状の排水接続部２５０が突設してある。排水接続部２５０には、通水ホース５５０の一端部が連結されている。排水接続部２５０の内部は、上流側排水口２５として機能する。通水ホース５５０の他端部は、後述する通水接続部３６０に接続されている。
通水ホース５５０の中途には、上流通水弁（開閉部）５５が設けられている。上流通水弁５５が開／閉すると、上流側排水口２５、通水ホース５５０、及び後述する通水口３６を通した通水が継／断される。
【００９９】
上流通水弁５５が閉じている場合、上流側排水口２５が密閉される。この場合、上流側貯水槽２は最大水位まで貯水可能である。
上流通水弁５５が開いている場合、上流側排水口２５が開放される。このため、上流側貯水槽２から上流側排水口２５を通して排出された汚水は、通水ホース５５０及び通水口３６を通して、下流側貯水槽３へ通流する。
【０１００】
次に、下流側貯水槽３について述べる。
下流側貯水槽３の下部には、管状の排水接続部３５０及び通水接続部３６０が突設してある。排水接続部３５０及び通水接続部３６０の内部は、下流側排水口３５及び通水口３６として機能する。通水口３６の開口位置は、上流側排水口２５の開口位置以下の高さである。下流側排水口３５の開口位置は、通水口３６の開口位置以下の高さである。
排水接続部３５０には、排水ホース４１１の基端部が接続されている。排水ホース４１１の中途には、下流通水弁（密閉部）５６が設けられている。下流通水弁５６が開／閉すると、下流側排水口３５及び排水ホース４１１を通した通水が継／断される。
【０１０１】
下流通水弁５６が開いている場合、下流側排水口３５が開放される。このため、下流側貯水槽３から下流側排水口３５を通して排出された汚水は、排水ホース４１１を通して、下水溝へ排出される。
下流通水弁５６が閉じている場合、下流側排水口３５が密閉される。このとき、上流通水弁５５が開いていれば、上流側貯水槽２及び下流側貯水槽３夫々の水位が等しくなるように、上流側貯水槽２及び下流側貯水槽３の両方に汚水が貯留される。
【０１０２】
下流側貯水槽３の内部には、上側フロートスイッチ１８が配されている。上側フロートスイッチ１８は、下流側貯水槽３に上側水位以上貯水されている場合にオンになる。また、上側フロートスイッチ１８は、下流側貯水槽３に上側水位未満貯水されているか、又は下流側貯水槽３が空である場合にオフになる。本実施の形態における上側水位は、上流側貯水槽２に係る最大水位よりも低い。
オン状態の上側フロートスイッチ１８は、オン信号を出力する。オン信号は、制御部１０に入力される。換言すれば、上側フロートスイッチ１８からのオン信号が制御部１０に入力されている場合、上側フロートスイッチ１８はオンになっている。上側フロートスイッチ１８からのオン信号が制御部１０に入力されていない場合、上側フロートスイッチ１８はオフになっている。
【０１０３】
次に、制御部１０について説明する。
制御部１０の入出力インターフェースには、上流通水弁５５及び下流通水弁５６夫々のアクチュエータが電気的に接続してある。
上流通水弁５５（又は下流通水弁５６）を開く場合、制御部１０は、上流通水弁５５（又は下流通水弁５６）のアクチュエータをオンにする。上流通水弁５５（又は下流通水弁５６）を閉じる場合、制御部１０は、上流通水弁５５（又は下流通水弁５６）のアクチュエータをオフにする。
【０１０４】
図１０及び図１１は、吸排水装置１で実行される吸排水処理の手順を示すフローチャートである。
制御部１０は、自身に操作信号が入力されたか否かを判定することによって、操作部１１が操作されたか否かを判定する（Ｓ５１）。操作部１１が操作されていない場合（Ｓ５１でＮＯ）、制御部１０は、Ｓ５１の処理を再度実行する。
操作部１１が操作された場合（Ｓ５１でＹＥＳ）、制御部１０は、第１通気弁１５を閉じ（Ｓ５２）、第２通気弁１６を開き（Ｓ５３）、上流通水弁５５を開き（Ｓ５４）、下流通水弁５６を閉じる（Ｓ５５）。
Ｓ５２の処理の結果、第１通気口２３を通した下流側貯水槽３の内外の通気が遮断される。Ｓ５３の処理の結果、第１管状部２２及び第２管状部３２を通して上流側貯水槽２と下流側貯水槽３とが通気する。Ｓ５４及びＳ５５の処理の結果、上流側貯水槽２及び下流側貯水槽３の両方に貯水可能になる。
【０１０５】
次に、制御部１０は、吸気部１４による吸気を開始させる（Ｓ５６）。
Ｓ５６の処理の結果、上流側貯水槽２の内部から吸気部１４へ空気が吸引される。また、下流側貯水槽３の内部から、第２通気口３４、第２管状部３２、第２通気弁１６、第１管状部２２、及び第３通気口２４、及び上流側貯水槽２を通して、吸気部１４へ空気が吸引される。この結果、上流側貯水槽２及び下流側貯水槽３夫々の内部が負圧になる。
上流側貯水槽２の内部が負圧になると、吸水ノズル１７１、吸水ホース１７２、及び吸水口２０を通して、汚水が上流側貯水槽２の内部へ吸入される。上流側貯水槽２の内部へ吸入された汚水は、上流側貯水槽２及び下流側貯水槽３に貯留される。
下流側貯水槽３の水位が下側水位以上に上昇することによって、フロートスイッチ１３はオフからオンに切り替わる。更に上昇した水位が上側水位以上になると、上側フロートスイッチ１８がオフからオンに切り替わる。
【０１０６】
次いで、制御部１０は、上側フロートスイッチ１８がオフからオンに切り替わった（図中「オフ→オン」）か否かを判定する（Ｓ５７）。Ｓ５７における判定は、上側フロートスイッチ１８が、下流側貯水槽３の水位が上側水位以上であることを検出したか否かの判定である。
上側フロートスイッチ１８がオフのままである場合（Ｓ５７でＮＯ）、制御部１０は、Ｓ５７の処理を再度実行する。
上側フロートスイッチ１８がオフからオンに切り替わった場合（Ｓ５７でＹＥＳ）、制御部１０は、上流通水弁５５を閉じ（Ｓ５８）、第２通気弁１６を閉じる（Ｓ５９）。Ｓ５９の処理を実行する制御部１０は、本発明の実施の形態における第４制御手段として機能する。
Ｓ５８の処理の結果、上流側貯水槽２の内部へ吸入された汚水は、上流側貯水槽２に貯留される。Ｓ５９の処理の結果、第１管状部２２及び第２管状部３２を通した上流側貯水槽２と下流側貯水槽３との通気が遮断される。
【０１０７】
次いで、制御部１０は、図１１に示すように、第１通気弁１５を開き（Ｓ７１）、下流通水弁５６を開く（Ｓ７２）。Ｓ７１の処理を行なう制御部１０は、本発明の実施の形態における第１制御手段として機能する。
Ｓ７１の処理の結果、第１通気口２３を通して下流側貯水槽３の内外が通気する。故に、下流側貯水槽３の内部に外気が流入し、下流側貯水槽３の内部は非負圧になる。Ｓ７２の処理の結果、下流側貯水槽３に貯留されていた汚水が、下流側排水口３５及び排水ホース４１１を通して、下水溝へ排出される。
【０１０８】
下流側貯水槽の水位が上側水位未満になると、上側フロートスイッチ１８がオンからオフに切り替わる。下流側貯水槽３の水位が下側水位未満になると、フロートスイッチ１３がオンからオフに切り替わる。
制御部１０は、フロートスイッチ１３がオンからオフに切り替わったか否かを判定する（Ｓ７３）。Ｓ７３における判定は、フロートスイッチ１３が、下流側貯水槽３の水位が下側水位未満であることを検出したか否かの判定である。
フロートスイッチ１３がオンのままである場合（Ｓ７３でＮＯ）、制御部１０は、Ｓ７３の処理を再度実行する。
【０１０９】
フロートスイッチ１３がオンからオフに切り替わった場合（Ｓ７３でＹＥＳ）、制御部１０は、下流通水弁５６を閉じ（Ｓ７４）、第１通気弁１５を閉じ（Ｓ７５）、第２通気弁１６を開き（Ｓ７６）、上流通水弁５５を開く（Ｓ７７）。Ｓ７４の処理を実行する制
御部１０は、本発明の実施の形態における第２制御手段として機能する。Ｓ７６の処理を実行する制御部１０は、本発明の実施の形態における第３制御手段として機能する。
Ｓ７４〜Ｓ７６の処理をこの順に実行した結果、吸気口２３を通した下流側貯水槽３の内外の通気が遮断された後で、第１管状部２２及び第２管状部３２を通して上流側貯水槽２と下流側貯水槽３とが通気する。このとき、下流側貯水槽３の内部が速やかに負圧になる。また、上流側貯水槽２の内部の気圧上昇が抑えられ、上流側貯水槽２の内部の負圧が保たれる。そして、Ｓ７７の処理の結果、上流側貯水槽２に貯留されている汚水が下流側貯水槽３へ流入し、やがて、上流側貯水槽２及び下流側貯水槽３の水位が等しくなる。
【０１１０】
制御部１０は、操作部１１が再び操作されたか否かを判定する（Ｓ７８）。操作部１１が操作されていない場合（Ｓ７８でＮＯ）、制御部１０は、処理をＳ５７へ移す。
操作部１１が再び操作された場合（Ｓ７８でＹＥＳ）、制御部１０は、吸気部１４による吸気を終了させ（Ｓ７９）、第１通気弁１５、第２通気弁１６、上流通水弁５５、及び下流通水弁５６を全て開く（Ｓ８０）。この結果、上流側貯水槽２への汚水の吸入が終了し、上流側貯水槽２及び下流側貯水槽３夫々の内部が非負圧になる。上流側貯水槽２及び下流側貯水槽３に貯留されている汚水は、下水溝へ排出される。
Ｓ８０の処理終了後、操作部１１は、処理をＳ５１へ戻す。
なお、Ｓ５１の処理終了後、Ｓ７８の処理を実行するまでの間に操作部１１が再び操作された場合には、制御部１０は、実行中の処理を中断して、処理をＳ７９へ移せばよい。
【０１１１】
以上のような吸排水装置１は、実施の形態１の吸排水装置１と同様に、静音性が高い。また、排水ポンプ又は水中ポンプ等が存在しない分、上流側貯水槽２及び下流側貯水槽３の内部の清掃は容易である。しかも、水受け４が存在しないため、水受け４の清掃は不要である。更に、吸排水装置１において下流側貯水槽３から頻繁に排水が行なわれても、吸排水装置１における吸水及び貯水が阻害される虞はない。故に、吸排水装置１を小型化することができる。
第１通気弁１５、第２通気弁１６、上流通水弁５５、及び下流通水弁５６に係る消費電力は、一般に、排水ポンプ又は水中ポンプ等の消費電力よりも小さい。故に、吸排水装置１は省エネルギに寄与することができる。
【０１１２】
更に、上流側貯水槽２及び下流側貯水槽３夫々の構成に関する設計の自由度が、実施の形態１の上流側貯水槽２及び下流側貯水槽３の構成に関する設計の自由度よりも高い。
ただし、上流通水弁５５及び下流通水弁５６が存在する分、吸排水装置１の制御は実施の形態１の吸排水装置１よりも煩雑である。また、吸排水装置１の消費電力は実施の形態１の吸排水装置１よりも大きい。
更にまた、水受け４が存在しない上に、下流側貯水槽３における貯水中／排水中を問わず上流側貯水槽２にて貯水しなければならない。従って、上流側貯水槽２は実施の形態１の上流側貯水槽２よりも大きくする必要がある。
【０１１３】
なお、吸排水装置１は、上側フロートスイッチ１８及びフロートスイッチ１３に替えて、下流側貯水槽３の水位を検出する水位計を備えている構成でもよい。この場合、Ｓ５７における制御部１０は、水位計の検出結果が上側水位以上であるか否かを判定し、Ｓ７３における制御部１０は、水位計の検出結果が下側水位未満であるか否かを判定する。
また、吸排水装置１は、水受け４に相当するものを備えていてもよい。
【０１１４】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、吸排水装置１に、実施の形態１，２に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【０１１５】
１      吸排水装置
１０    制御部
１２    リミットスイッチ（上側水位検出部）
１３    フロートスイッチ（下側水位検出部）
１４    吸気部
１５    第１通気弁
１６    第２通気弁
１７    上側フロートスイッチ（上側水位検出部）
２      上流側貯水槽
２０    吸水口
２１，２５  上流側排水口
２２    第１管状部
２４    第３通気口
３      下流側貯水槽
３１，３５  下流側排水口
３２    第２管状部
３３    第１通気口
３４    第２通気口
４      水受け
４１    排水部
５１    密閉底蓋（密閉部）
５１１  密閉蓋本体
５１２  支持軸部
５１３  錘部
５２    開閉底蓋（開閉部）
５２１  開閉蓋本体
５２２  軸部
５５    上流通水弁（開閉部）
５６    下流通水弁（密閉部）
６１    弁箱
６２    弾性弁座
６３    弾性弁体
６４    アクチュエータ
【図１】
2015173823.tif 000003
【図２】
2015173823.tif 000004
【図３】
2015173823.tif 000005
【図４】
2015173823.tif 000006
【図５】
2015173823.tif 000007
【図６】
2015173823.tif 000008
【図７】
2015173823.tif 000009
【図８】
2015173823.tif 000010
【図９】
2015173823.tif 000011
【図１０】
2015173823.tif 000012
【図１１】
2015173823.tif 000013